(57)【要約】 【課題】  本発明は、底部の水漏れを防止できると共に量産性が極めて高い紙製コーン容器の提供を課題とするものであり、特に紙製コーン容器の成形時の溶着の程度を高め、不要な剥がれのない容器の提供を課題とする。【解決手段】  係る課題を解決するため、溶融中のポリエチレンを容器素材の紙に流下延展した上で、冷却固着したポリエチレンラミネート紙よりなる容器素材を用い、略扇状の容器素材の一方の側辺と他方の側辺との交点部の内側に一方の側辺側から他方の側辺側に向けて折り目線を設けて三角形の折り返し片しを形成し、一方の側辺から円錐状に巻き込むと共に該巻き込みに際して折り返し片を折り目線で内側に折り込んで円錐状に形成した紙製コーン容器を提供する。【選択図】    図１
2008260565.tif 000002
【特許請求の範囲】
【請求項１】
溶融中のポリエチレンを容器素材の紙に流下延展した上で、冷却固着したポリエチレンラミネート紙よりなる容器素材を用い、
略扇状の容器素材１の一方の側辺２と他方の側辺３との交点部４の内側に一方の側辺２側から他方の側辺３側に向けた折り目線５を設けて三角形の折り返し片６を形成し、
側辺交点８と容器素材１の弧状辺９の前記一方の側辺２側から弧長の略三分の二の箇所７とを結ぶ境界線１０をもって側辺２側を容器形成部１１とし、側辺３側を溶着部１２とし、  
いずれか一方の側辺から円錐状に巻き込むと共に該巻き込みに際して折り返し片６を折り目線で内側に折り込んで円錐状にし、溶着部１２で溶着することによって形成したことを特徴とする紙製コーン容器。
【請求項２】
ポリエチレン樹脂を押出機でＴダイより押し出し、この溶融中のポリエチレンを容器素材の紙に流下延展するものであることを 特徴とする請求項１記載の紙製コーン容器。
【請求項３】
若干下り傾斜をする折り目線５であることを 特徴とする請求項１又は２のいずれかに記載の紙製コーン容器。
【発明の詳細な説明】
【技術分野】
【０００１】
本発明は、アイスクリーム等の冷菓を収納するために使用する可食用のコーン容器を包装するための紙製コーン容器に関する。
【背景技術】
【０００２】
従来より、アイスクリーム等の冷菓に関しては、これを収納する可食性のもなかのコーン容器に収納し、更にこのもなかの可食コーン容器を紙製コーン容器で包装するものであった。
【０００３】
係る紙製容器として実開昭５６−１６６２１３号（特許文献１）が存在する。
係る構造は、ポリエチレンラミネート加工したコーン素材の一側辺に近い内面を糊代又は糊代代わりとして内側に丸め込んで他端辺と貼着してコーン容器を構成するものである。
しかし係る構造ではコーン容器の巻回製造時に予めコーン素材の底部近くの一側辺内面を他側辺内面に部分的に接着して局所的な袋体部分を作る必要が出るものである。
従ってコーン容器としての巻回製造時において、局部的な袋体部分を作るために巻回動作を中断しなければならないものである。
【０００４】
更にこの中断時に袋体の部分の形成に必要な接着作業が必要となるものである。
これらのことにより作業性が悪く、コーン容器の量産性を阻害するものとなっていた。
更に尖端部分からの水漏れの恐れがあった。
これに対して係る点を改良すべく実開平１−５１０１０号（特許文献２）および実開平１−５１０１１号（特許文献３）が存在する。
かかる構成は、側辺交点を中心に巻き込むと共に折り目線から三角形の折り返し片を内側に折り返し、更にこの折り返された折り返し片を覆って接着部を成形部でコーン状に作られた容器の外側に接着した構成とするもの（特許文献２）である。
又、三角形の折り返し片に変えて台形の折り返し片をもって構成するもの（特許文献３）もある。
【特許文献１】実開昭５６−１６６２１３号
【特許文献２】実開平１−５１０１０号
【特許文献３】実開平１−５１０１１号
【発明の開示】
【発明が解決しようとする課題】
【０００５】
以上の様に、可食用のもなかのコーン容器を包装するための紙製容器としては掛かる構造のものが用いられてきたものである。
しかし、まず特許文献１に示す構成は前記した欠点を有するものであり、更には特許文献２及び３に関しては、水漏れ防止及び作業性の向上は図れるが、樹脂フィルムを裏面に貼着するか或いは衛生上支障のない接着剤を用いることが必要である。
即ち、製造上樹脂フィルムを予め製造し、このフィルムに貼着することが必要であって、極めて作業性が低くなってしまう。
【０００６】
特に樹脂フィルムの特性によってヒートシールする場合には紙繊維に入り込んだ状態のラミネートをなされていないと接着性が低くなってしまうものである。
又、接着剤を用いた場合に例えばホットメルトを用いるとどうしてもはみ出し部などが出てしまい、大量生産時に不必要な箇所にホットメルトの貼着が出てしまい歩留まりが悪くなってしまうものである。
更に通常の糊を用いた場合にも、きれいに又はきっちりとした貼着は極めて難しいものであった。
従って、底部の水漏れを防止できると共に紙製コーン容器の量産性が極めて高い紙製コーン容器の提供を課題とするものである。
【課題を解決するための手段】
【０００７】
係る課題を解決するため請求項１に係る発明は溶融中のポリエチレンを容器素材の紙に流下延展した上で、冷却固着したポリエチレンラミネート紙よりなる容器素材を用い、略扇状の容器素材の一方の側辺と他方の側辺との交点部の内側に一方の側辺側から他方の側辺側に向けた折り目線を設けて三角形の折り返し片を形成し、側辺交点と容器素材の弧状辺の前記一方の側辺２側から弧長の略三分の二の箇所とを結ぶ境界線をもって側辺２側を容器形成部とし、側辺３側を溶着部とし、いずれか一方の側辺から円錐状に巻き込むと共に該巻き込みに際して折り返し片を折り目線で内側に折り込んで円錐状にし、溶着部で溶着することによって形成した紙製コーン容器よりなり、係る発明によって前記課題を解決できる。
この場合、請求項２に係る発明の様にポリエチレン樹脂を押出機でＴダイより押し出し、この溶融中のポリエチレンを容器素材の紙に流下延展するものでも、或いは請求項３に係る発明のように若干下り傾斜をする折り目線を用いるものであってもよい。
【発明の効果】
【０００８】
以上のように構成したことから底部の水漏れを防止できると共に紙製コーン容器の量産性が極めて高い紙製コーン容器の提供することができる。
特に紙表面のポリエチレンのみに限らず、紙繊維内に絡みついたポリエチレンによっても溶着するものであり、その溶着の程度は極めて高いものであって、水漏れを防止できると共に不必要な溶着の剥がれ等を防止でき、更には極めて見栄えのよい紙製コーン容器の提供を可能とするものである。
【発明を実施するための最良の形態】
【０００９】
図１は、本発明に係る紙製コーン容器の使用状態の一例を示す図である。
本図に示すように略円錐形状のコーン形状よりなる紙製容器であり、アイスクリーム等の冷菓Ａを可食性のもなかＢのコーン容器で収納し、更に該もなかＢのコーン容器を本考案に係る紙製コーン容器で包装しているものである。
従って、係る状態で使用するものである。
【００１０】
図２は、図１に示す紙製コーン容器を展開した状態の一例を示す図である。
係る展開状態の容器素材１は略扇状に構成されているものであり、扇状の容器の素材１の一方の側辺２と他方の側辺３との交点部４の内側に一方の側辺２側から他方の側辺３側に向けて若干下り傾斜をする折り目線５を設けて三角形の折り返し片６を形成する。
又前記折り目線５と前記一方の側辺２との交点Ｐに近い前記一方の側辺交点８と前記扇状をなす容器素材１の弧状辺９の前記一方の側辺２側から弧長の略三分の二の箇所７とを結ぶ境界線１０をもって容器形成部１１と溶着部１２とに区分けする。
尚、前記三分の二の箇所７は、容器としての開口角度に応じて定めればよいものである。
【００１１】
この様な容器素材１は、図３及び図４に示すように円錐体１３の尖頭部１４を折り目線５と一方の側辺２との交点Ｐにあて、該円錐体１３の周囲に該円錐体１３を回しながら容器形成部１１を巻きつけてから折り目線５で折り返し片６を折り曲げるものである。
更に図５に示すようにヒーターバー１５をもって、溶着部１２を溶着するものである。
これらの場合、図示する構成は側辺２から巻き込んで形成するが、これに限らず側辺３側から巻き込んで円錐形状を形作るものであってもよい。
係る場合に、容器素材１は次の構成によって紙にポリエチレンラミネートされた素材よりなるものである。
【００１２】
該構成は、まずポリエチレン樹脂粒等をエクストルーダー（圧縮加熱押出機）でＴダイより押出し、一定の幅（例えば約６００ミリ乃至２０００ミリ程度）で厚さ約１５ミリ乃至３０ミリ程度のフィルムとなし、これを直ちに各種巻取り紙に流下してこの紙上に流下延展する。
紙上に流下した溶融中のポリエチレンは紙に密着して紙の繊維内に絡みつき冷却固着し、紙にラミネートされる。
このポリエチレンラミネート紙は、冷却後に成形し、或いは冷却時又は冷却前に成形し、成形時において、この溶着部１２においてヒーターバー１５によって熱溶着されるものである。
又、折り返し片６においても、同様に溶着できるものであり、紙製コーン容器の先端の部分における水漏れ等を防ぐことができる。
【００１３】
もとより側面における溶着部１２においても同様である。
これらの場合、例えばこの溶着部１２で紙の厚さに応じて適宜な温度例えば２００度乃至３００度程度で短時間(例えば０．５乃至１秒)程度加熱して溶融させるものである。
この他、例えば、ポリエチレン表面を接面直前に１５０度乃至２００度程度に加熱し、接合するものであってもよい。
これらによって、紙製コーン容器を成形した際に、加熱による溶融によって成形できると共に紙繊維内に絡みついたポリエチレンの融着もなされることとなり、容易にかつ強固に溶融することができる。
従って、極めて成形性の高い紙製コーン容器の提供ができると共にシール部分もきっちりとシールし、水漏れ等を極めて高い精度で抑えることができるものである。
【図面の簡単な説明】
【００１４】
【図１】本発明に係る紙製コーン容器を用いた一例を示す図
【図２】本発明に係る紙製コーン容器の展開状態の一例を示す図
【図３】本発明に係る紙製コーン容器の成形段階の一例を示す図
【図４】本発明に係る紙製コーン容器の成形段階の一例を示す図
【図５】本発明に係る紙製コーン容器の成形段階の一例を示す図
【符号の説明】
【００１５】
１    容器素材
２    側辺
３    側辺
４    交点部
５    折り目線
６    折り返し片
７    弧長の略三分の二の箇所
８    側辺交点
９    弧状辺
１０    境界線
１１    容器形成部
１２    溶着部
１３    円錐体
１４    尖頭部
１５    ヒーターバー
Ｐ    交点  
Ａ    アイスクリーム等の冷菓
Ｂ    可食性のもなか
【図１】
2008260565.tif 000003
【図２】
2008260565.tif 000004
【図３】
2008260565.tif 000005
【図４】
2008260565.tif 000006
【図５】
2008260565.tif 000007